(57)【要約】【課題】異なる目的で使用する場合でも使用者に違和感や不快感を感じさせることがない住設機器を提供する。【解決手段】カウンター兼用蓋１０をキャビネット部３０上面の係止面に係止することにより、シンク部２０と連続したカウンターとして使用することができる。また、不使用時は、カウンター兼用蓋１０によってシンク部２０の上面と側面を覆うことができるため、シンク部２０が存在することを使用者に意識させないようにすることが可能となり、使用者は異なる目的で使用する場合でも、違和感や不快感を感じることなく住設機器１００を使用することができる。また、不使用時のカウンター兼用蓋１０を収容するスペースが不要であるため、限られた空間を有効活用することもできる。【選択図】図２
2014023820.tif 000002
【特許請求の範囲】
【請求項１】
可動式のカウンター兼用蓋と、略直方体形状のキャビネット部と、前記キャビネット部の上面に載置された住設部と、を備え、
前記キャビネット部は、幅寸法と高さ寸法とが等しくなっており、
平面視において、前記住設部は前記キャビネット部内に収まっており、かつ、少なくとも一辺については前記住設部の端縁が前記キャビネット部側面よりも後退しており、前記キャビネット部の上面の縁に前記カウンター兼用蓋を係止する係止面が形成されており、
前記カウンター兼用蓋は、
矩形状の第一の面材と、矩形状の第二の面材とを備え、
前記第一の面材と前記第二の面材とは、断面Ｌ字状に接合され、
前記第一の面材と前記第二の面材とが接合する辺の長さは、前記キャビネット部の奥行方向の寸法と等しくなっており、
前記第一の面材側の一方の内方辺長は、前記キャビネット部の幅寸法と等しくなっており、
前記第二の面材側の他方の内方辺長は、前記住設部および前記キャビネット部の一側面を被覆可能な長さとなっており、
前記第一の面材は、前記カウンター兼用蓋が蓋として使用される場合は前記住設部を覆う蓋本体となり、前記カウンター兼用蓋がカウンターとして使用される場合は脚部となり、
前記第二の面材は、前記カウンター兼用蓋が蓋として使用される場合は前記キャビネット部および前記住設部の一側面を被覆する側面被覆部となり、前記カウンター兼用蓋がカウンターとして使用される場合はカウンター本体となることを特徴とする住設機器。
【請求項２】
前記カウンター兼用蓋は、更に矩形状の第三の面材を備えており、
前記第三の面材は、
隣接する二つの端面が前記第一の面材と前記第二の面材の内側面に当接するように、かつ、外面が前記第一の面材および前記第二の面材の端面と揃うように接合され、
前記第一の面材側の辺の長さは、前記キャビネット部の幅方向の寸法と等しくなっており、
前記第二の面材側の辺の長さは、前記住設部の前面を被覆可能な長さとなっており、
前記住設部の前面は、前記キャビネット部の前面よりも前記第三の面材の厚みに対応した寸法だけ後退しており、
前記第三の面材は、前記カウンター兼用蓋が蓋として使用される場合は前記住設部の前面を覆う前面被覆部となり、前記カウンター兼用蓋がカウンターとして使用される場合は脚部となることを特徴とする請求項１記載の住設機器。
【請求項３】
前記カウンター兼用蓋は、更に矩形状の第四の面材を備えており、
前記第四の面材は、
隣接する二つの端面が前記第一の面材と前記第三の面材の内側面に当接するように、かつ、外面が前記第一の面材および前記第三の面材の端面と揃うように接合され、前記第一の面材および前記第三の面材と接合しない２つの端面のうち、一方の端面は前記第一の面材と揃い、他方の端面は前記第三の面材と揃っており、
前記住設部の一方の側面は、前記キャビネット部の側面よりも前記第四の面材の厚みに対応した寸法だけ後退しており、
前記第四の面材は、前記カウンター兼用蓋が蓋として使用される場合は前記住設部の前記一方の側面を覆う第二の側面被覆部となり、前記カウンター兼用蓋がカウンターとして使用される場合は脚部となることを特徴とする請求項１または２に記載の住設機器。
【請求項４】
前記キャビネット部の係止面には、溝が形成されており、
前記第二の面材の内側面における、前記第一の面材と接合された側と反対側の端面近傍には、前記溝に嵌合される突起が設けられていることを特徴とする請求項１〜３の何れか一項記載の住設機器。
【発明の詳細な説明】
【技術分野】
【０００１】
本発明は、住宅に設置される住設機器に関する。
【背景技術】
【０００２】
住宅計画において、限られた室内空間を有効活用するために、調理行為と団らん、就寝、接客等の種々の行為を同じ空間で行いたいという要望が生じることがある。特許文献１には、バックカウンターにおけるカウンター下方の収容空間に引き出し可能に収容されたスライド式補助カウンターが記載されており、必要に応じてスライド式補助カウンターを引き出したり収容したりすることによって、限られた空間を有効活用することができるようになっている。
【先行技術文献】
【特許文献】
【０００３】
【特許文献１】特開２００４−３５７７３８号公報
【発明の概要】
【発明が解決しようとする課題】
【０００４】
しかしながら、上述したようなスライド式補助カウンターを採用した場合、バックカウンターは不使用時を含め常に露わになることとなり、調理行為以外の異なる目的で使用している場合に目障りとなることがあり、使用者に違和感や不快感を生じさせてしまう虞がある。また、上記のスライド式補助カウンターでは、不使用時における収容空間が必要となるため、空間を有効活用するという点でも改善の余地がある。
【０００５】
本発明は、このような課題を解決するためになされたものであり、異なる目的で使用する場合でも使用者に違和感や不快感を感じさせることがない住設機器を提供することを目的とする。
【課題を解決するための手段】
【０００６】
本発明に係る住設機器は、可動式のカウンター兼用蓋と、略直方体形状のキャビネット部と、キャビネット部の上面に載置された住設部と、を備え、キャビネット部は、幅寸法と高さ寸法とが等しくなっており、平面視において、住設部はキャビネット部内に収まっており、かつ、少なくとも一辺については住設部の端縁がキャビネット部側面よりも後退しており、キャビネット部の上面の縁にカウンター兼用蓋を係止する係止面が形成されており、カウンター兼用蓋は、矩形状の第一の面材と、矩形状の第二の面材とを備え、第一の面材と第二の面材とは、断面Ｌ字状に接合され、第一の面材と第二の面材とが接合する辺の長さは、キャビネット部の奥行方向の寸法と等しくなっており、第一の面材側の一方の内方辺長は、キャビネット部の幅寸法と等しくなっており、第二の面材側の他方の内方辺長は、住設部およびキャビネット部の一側面を被覆可能な長さとなっており、第一の面材は、カウンター兼用蓋が蓋として使用される場合は住設部を覆う蓋本体となり、カウンター兼用蓋がカウンターとして使用される場合は脚部となり、第二の面材は、カウンター兼用蓋が蓋として使用される場合はキャビネット部および住設部の一側面を被覆する側面被覆部となり、カウンター兼用蓋がカウンターとして使用される場合はカウンター本体となることを特徴とする。
【０００７】
本発明に係る住設機器は、カウンター兼用蓋をキャビネット部上面の係止面に係止することにより、住設部と連続したカウンターとして使用することができる。これに対して不使用時は、カウンター兼用蓋によって住設部の上面と側面を覆うことができる。よって、不使用時には住設部が存在することを使用者に意識させないようにすることが可能となるため、使用者は異なる目的で使用する場合でも、違和感や不快感を感じることなく住設機器を使用することができる。また、不使用時のカウンター兼用蓋を収容するスペースが不要であるため、限られた空間を有効活用することもできる。
【０００８】
また、本発明に係る住設機器では、カウンター兼用蓋は、更に矩形状の第三の面材を備えており、第三の面材は、隣接する二つの端面が第一の面材と第二の面材の内側面に当接するように、かつ、外面が第一の面材および第二の面材の端面と揃うように接合され、第一の面材側の辺の長さは、キャビネット部の幅方向の寸法と等しくなっており、第二の面材側の辺の長さは、住設部の前面を被覆可能な長さとなっており、住設部の前面は、キャビネット部の前面よりも第三の面材の厚みに対応した寸法だけ後退しており、第三の面材は、カウンター兼用蓋が蓋として使用される場合は住設部の前面を覆う前面被覆部となり、カウンター兼用蓋がカウンターとして使用される場合は脚部となることが好ましい。これによれば、カウンター兼用蓋を蓋として使用する場合には、第三の面材が住設部の前面を覆うため、住設部が存在することを使用者に意識させないようにすることができる。また、第三の面材は第一の面材と第二の面材との間に接合されるため、カウンター兼用蓋の強度を増すことができ、特にカウンターとして使用する場合に第二の面材の第一の面材に対する開きを防止することができる点で有効である。また、カウンター兼用蓋を蓋として使用する場合には、第三の面材をキャビネット部の上面から起立して第一の面材の前端縁を支持する脚部として機能させることが可能となるため、安定性を高めることができる。
【０００９】
また、本発明に係る住設機器では、カウンター兼用蓋は、更に矩形状の第四の面材を備えており、第四の面材は、隣接する二つの端面が第一の面材と第三の面材の内側面に当接するように、かつ、外面が第一の面材および第三の面材の端面と揃うように接合され、第一の面材および第三の面材と接合しない２つの端面のうち、一方の端面は第一の面材と揃い、他方の端面は第三の面材と揃っており、住設部の一方の側面は、キャビネット部の側面よりも第四の面材の厚みに対応した寸法だけ後退しており、第四の面材は、カウンター兼用蓋が蓋として使用される場合は住設部の一方の側面を覆う第二の側面被覆部となり、カウンター兼用蓋がカウンターとして使用される場合は脚部となることが好ましい。これによれば、カウンター兼用蓋を蓋として使用する場合、住設部の第二の面材では覆われない側面を第四の面材で覆うことが可能となり、特に住設部の背面のみが壁に面して他の三側面が開放されている場合に全ての側面を隠せるため有効である。また、カウンター兼用蓋を蓋として使用する場合、第四の面材をキャビネット部の上面から起立して第一の面材の右端縁を支持する脚部として機能させることが可能となるため、安定性をより高めることができる。
【００１０】
また、本発明に係る住設機器では、キャビネット部の係止面には、溝が形成されており、第二の面材の内側面における、第一の面材と接合された側と反対側の端面近傍には、溝に嵌合される突起が設けられていることが好ましい。これによれば、カウンター兼用蓋をカウンターとして使用する場合に、カウンター兼用蓋の位置がずれて脱落する事態を抑止することができ、より一層安定性を高めることができる。
【発明の効果】
【００１１】
本発明によれば、異なる目的で利用する場合でも使用者に違和感や不快感を感じさせることがない住設機器を提供することができる。
【図面の簡単な説明】
【００１２】
【図１】本発明の実施形態に係る住設機器においてカウンター兼用蓋を蓋として使用している状態を示す斜視図である。
【図２】本発明の実施形態に係る住設機器においてカウンター兼用蓋をカウンターとして使用している状態を示す斜視図である。
【図３】図１中のカウンター兼用蓋を示す斜視図である。
【図４】図２中のキャビネット部およびシンク部を示す斜視図である。
【図５】図２中のキャビネット部およびシンク部における水の流れを説明する側面断面図である。
【発明を実施するための形態】
【００１３】
以下、図面を参照しつつ本発明に係る住設機器の好適な実施形態について詳細に説明する。
【００１４】
図１および図２を参照して、本実施形態に係る住設機器１００の構成について説明する。住設機器１００は、例えば住宅内の台所兼居間に設置された、シンク、カウンター、及び収納の機能を備えた厨房設備である。図１は、住設機器１００においてカウンター兼用蓋１０を蓋として使用している状態を示す図であり、図２は、住設機器１００においてカウンター兼用蓋１０をカウンターとして使用している状態を示す図である。
【００１５】
図１および図２に示すように、住設機器１００は、蓋およびカウンターとして使用可能な可動式のカウンター兼用蓋１０と、住設部として機能するシンク部２０と、前面に扉部３１を有するキャビネット部３０とを備えて構成されている。住設機器１００におけるカウンター兼用蓋１０は、シンク部２０を使用しない場合にはシンク部２０を被覆する蓋として使用することができ（図１参照）、シンク部２０を使用する場合にはシンク部２０に連続するカウンターとして使用できるようになっている（図２参照）。
【００１６】
なお、以下のカウンター兼用蓋１０の説明における上下、前後、左右の方向は、便宜上、図３に示すように蓋として使用している状態での方向で表している。
【００１７】
カウンター兼用蓋１０は、図３に示すように、第一の面材１０ａと、第二の面材１０ｂと、第三の面材１０ｃと、第四の面材１０ｄとを備えて構成されている。これらの面材１０ａ〜１０ｄはいずれも矩形状の板材からなる。
【００１８】
第一の面材１０ａは、前後方向（奥行方向）の長さはＬ１、左右方向（幅方向）の長さはＬ２となっている。
【００１９】
第二の面材１０ｂは、その左側面（外面）と第一の面材１０ａの左端面とが揃うように接合されており、第一の面材１０ａと第二の面材１０ｂとが断面Ｌ字状となるように構成されている。第二の面材１０ｂの前後方向の長さは、第一の面材１０ａの前後方向の長さと同じくＬ１となっており、第二の面材１０ｂの上下方向の長さはＬ３となっている。この第二の面材１０ｂの上下方向の長さ（第二の面材１０ｂ側の他方の内方辺長）Ｌ３は、キャビネット部３０の下端からシンク部２０の上端までの寸法より若干大きく、シンク部２０およびキャビネット部３０の左側面を被覆可能な長さとなっている。
【００２０】
また、第二の面材１０ｂは、その右側面（内側面）における、第一の面材１０ａと接合された側（上側）とは反対側（下側）の端面近傍に、略直方体形状の突起１０ｅを２個備えている。突起１０ｅは後述するキャビネット部３０の上面の溝に嵌合してカウンター兼用蓋１０の移動を防止する機能を有する。突起１０ｅの形状は、この機能を有するものであれば形状や数は限定されず、例えば円柱状であっても、３個以上であっても、またある程度の長さを有すれば１個であってもよい。
【００２１】
第三の面材１０ｃは、その上端面および左端面（隣接する二つの端面）が第一の面材１０ａと第二の面材１０ｂの内側面に当接するように、かつ、第三の面材１０ｃの前面（外面）が、第一の面材１０ａの前端面および第二の面材１０ｂの前端面と揃うように、接合されている。
【００２２】
第三の面材１０ｃは、その上下方向の長さがＬ４、その左右方向の長さがＬ５、その前後方向の長さ（厚み）がＬ６となっており、第三の面材１０ｃの左右方向の長さＬ５と第二の面材１０ｂの左右方向の長さ（厚み）との和は、第一の面材１０ａの左右方向の長さＬ２と等しくなっている。また、第三の面材１０ｃの上下方向の長さＬ４（第二の面材１０ｂ側の辺の長さ）は、天板部３２の上面からシンク部２０上端までの高さより若干大きく、シンク部２０の前面を被覆可能な長さとなっている。
【００２３】
第四の面材１０ｄは、その前端面および上端面（隣接する二つの端面）が第一の面材１０ａと第三の面材１０ｃの内側面に当接するように、かつ、第四の面材１０ｄの右側面（外面）が、第一の面材１０ａの右端面と第三の面材１０ｃの右端面と揃うように接合されている。また、第四の面材１０ｄは、その後端面が第一の面材１０ａの後端面と揃い、その下端面が第三の面材１０ｃの下端面と揃うようになっている。換言すれば、第四の面材１０ｄの第一の面材１０ａおよび第三の面材１０ｃと接合しない２つの端面のうち、一方の端面（後端面）は第一の面材１０ａの後端面と揃い、他方の端面（下端面）は第三の面材１０ｃの下端面と揃っている。
【００２４】
第四の面材１０ｄは、その前後方向の長さがＬ７、その上下方向の長さがＬ８となっており、第四の面材１０ｄの前後方向の長さＬ７と第三の面材１０ｃの前後方向の長さＬ６との和は、第一の面材１０ａの前後方向の長さＬ１と等しくなっており、第四の面材１０ｄの上下方向の長さＬ８は、第三の面材１０ｃの上下方向の長さＬ４と等しくなっている。
【００２５】
キャビネット部３０は、図４に示すように、底板部、一対の側板部、背板部、天板部３２、及び観音開き形式の２枚の扉を有する扉部３１を備えて構成され、全体として略直方体形状となっており、背板部が壁面に当接するようにして床面に据え置かれている。
【００２６】
天板部３２は、キャビネット部３０の上面を構成している。天板部３２の中央には、後述するシンク部２０の排水口２２の位置に対応した開口部３６が設けられている。天板部３２の上面の端縁のうち後端縁を除く左右端縁及び前端縁はカウンター兼用蓋１０をカウンターとして使用する際に、カウンター兼用蓋１０の端縁（第二の面材１０ｂの端縁）を係止する係止面として機能する。左右端縁及び前端縁には、カウンター兼用蓋１０の突起１０ｅが嵌合される溝３５が設けられている。
【００２７】
このようなキャビネット部３０において、その前後方向の長さ（奥行寸法）はｌ１、その左右方向の長さ（幅寸法）はｌ２、その上下方向の長さ（高さ寸法）はｌ３となっており、幅寸法ｌ２と高さ寸法ｌ３とが等しくなっている。また、奥行寸法ｌ１は、第一の面材１０ａと第二の面材１０ｂとが接合する辺の長さであるＬ１と等しくなっており、幅寸法ｌ２は、第一の面材１０ａの幅寸法Ｌ２と第二の面材１０ｂの厚みとの差（第一の面材１０ａ側の一方の内方辺長）と等しくなっている。また、幅寸法ｌ２は、第三の面材１０ｃの幅方向の長さＬ５（第一の面材１０ａ側の辺の長さ）とも等しくなっている。
【００２８】
シンク部２０は、キャビネット部３０の上面（天板部３２の載置面）に載置された状態で、平面視においてキャビネット部３０の外郭線の内側に収まり、更に、その前面がキャビネット部３０の前面よりも第三の面材１０ｃの厚みＬ６に対応した長さだけ後退し、右側の側面がキャビネット部３０の右側の側面よりも第四の面材１０ｄの厚みに対応した長さだけ後退するように構成されている。図５に示すように、シンク部２０の排水口２２には排水管１２０が接続されて、シンク部２０の上方の壁面には給水栓１１０が設けられており、調理や洗浄などの作業を行うことができるように構成されている。
【００２９】
以上のように構成される住設機器１００において、シンク部２０を使用しない場合には、カウンター兼用蓋１０をシンク部２０を覆う蓋として使用することができる。具体的には、第二の面材１０ｂの内側面（右側面）がキャビネット部３０の左側面に沿い、第二の面材１０ｂの後端面が壁面に沿うようにして、カウンター兼用蓋１０を持ち上げ、その状態を維持したままカウンター兼用蓋１０を降下させることにより、第二の面材１０ｂの下端面が床面に当接するとともに第三の面材１０ｃおよび第四の面材１０ｄの下端面が天板部３２の上面に当接し、シンク部２０の前面、左側面および右側面と、キャビネット部３０の左側面とが、カウンター兼用蓋１０に覆われた状態となる（図１参照）。このとき突起１０ｅの位置は、キャビネット部３０下端の台輪に対応した位置となる。台輪は側面からいくらか後退しており、突起１０ｅがキャビネット部３０と干渉することはない。このように、カウンター兼用蓋１０が蓋として使用される場合は、第一の面材１０ａがシンク部２０を覆う蓋本体となり、第二の面材１０ｂがキャビネット部３０およびシンク部２０の左側面を被覆する側面被覆部となり、第三の面材１０ｃがシンク部２０の前面を覆う前面被覆部となり、第四の面材１０ｄがシンク部２０の右側面を被覆する第二の側面被覆部となる。
【００３０】
一方、住設機器１００のシンク部２０を使用する場合には、カウンター兼用蓋１０をカウンターとして使用することができる。具体的には、例えば、カウンター兼用蓋１０を、第二の面材１０ｂの外側面を上方に向け、図２に示すように第二の面材１０ｂの端縁を天板部３２上面の端縁に係止するとともに（この際、突起１０ｅを溝３５に嵌合させる）、第一の面材１０ａを床面に起立させる。このように、カウンター兼用蓋１０がカウンターとして使用される場合は、第一の面材１０ａ、第三の面材１０ｃおよび第四の面材１０ｄが脚部として機能し、第二の面材１０ｂが例えば食器等を載置可能なカウンター本体となる。なお、カウンター兼用蓋１０は同様の要領でキャビネット部３０の右方や左方に設置してもよい。
【００３１】
次に、本実施形態に係る住設機器１００の作用・効果の説明を行う。
【００３２】
本実施形態に係る住設機器１００は、シンク部２０を使用する時は、カウンター兼用蓋１０をキャビネット部３０上面の端縁に係止することにより、シンク部２０と連続したカウンターとして使用することができ、シンク部２０を使用しない時は、カウンター兼用蓋１０でシンク部２０の一方の側面と上面を覆うことができるため、シンク部２０が存在することを居住者に意識させないようにすることが可能となり、居住者は、住設機器１００が設置された部屋を住設機器１００を使用しない他の目的で使用する場合でも、違和感や不快感を覚えることがない。また、カウンター兼用蓋１０を収容するスペースが不要であるため、限られた空間を有効活用することもできる。
【００３３】
また、カウンター兼用蓋１０を蓋として使用する場合には、第三の面材１０ｃがシンク部２０の前面も覆うため、シンク部２０が存在することを使用者に更に意識させないようにすることができる。また、第三の面材１０ｃが第一の面材１０ａと第二の面材１０ｂとの間に接合されることにより、カウンター兼用蓋１０の強度を増すことができ、特にカウンターとして使用する場合に第二の面材１０ｂの第一の面材１０ａに対する開きを防止することができる点で有効である。また、カウンター兼用蓋１０を蓋として使用する場合には、第三の面材１０ｃをキャビネット部３０の上面から起立して第一の面材１０ａの前端縁を支持する脚部として機能させることが可能となるため、安定性を高めることができる。
【００３４】
また、カウンター兼用蓋１０を蓋として使用する場合には、シンク部２０の第二の面材１０ｂでは覆われない側面（右側面）を第四の面材１０ｄで覆うことが可能であり、特にシンク部２０の背面のみが壁に面して他の三側面が開放されている場合に全ての側面を隠せるため有効である。また、カウンター兼用蓋１０を蓋として使用する場合、第四の面材１０ｄをキャビネット部３０の上面から起立して第一の面材１０ａの右端縁を支持する脚部として機能させることが可能となるため、安定性をより高めることができる。
【００３５】
また、キャビネット部３０の上面に形成された溝３５と、第二の面材１０ｂの内側面に設けられる突起１０ｅとを備え、カウンター兼用蓋１０をカウンターとして使用する場合に突起１０ｅを溝３５に嵌合させるようになっているため、カウンター兼用蓋１０をカウンターとして使用する場合に、カウンター兼用蓋１０の位置がずれて脱落する事態を抑止することができ、より一層安定性を高めることができる。
【００３６】
本発明は、上述の実施形態に限定されるものではない。
【００３７】
例えば、上述の実施形態では、住設部としてシンク部２０を例示したが、コンロ等の加熱調理設備を住設部としてもよい。
【００３８】
また、平面視において、シンク部２０の前側、右側および左側の辺がキャビネット部３０の対応する辺よりも後退する構成を例示したが、たとえば、カウンター兼用蓋１０をカウンターとしてシンク部２０の左側に設置できるようにしておく必要がないのであれば、左側の辺を後退させる必要はない。
【００３９】
また、キャビネット部３０の背板と右側板が壁面に当接するように設置される場合は、シンク部２０の右側面は壁で覆われるので、第四の面材を省略してもよく、カウンター兼用蓋１０をカウンターとしてシンク部２０の右側に設置することはできないので右側に係止面を形成する為にシンク部を後退させる必要もない。
【００４０】
また、カウンターとして使用する際のカウンター兼用蓋１０のずれ防止手段として、突起１０ｅと溝３５の嵌合にかえて、ビスやピン、面ファスナー等を用いてもよい。
【符号の説明】
【００４１】
１０…カウンター兼用蓋、１０ａ…第一の面材、１０ｂ…第二の面材、１０ｃ…第三の面材、１０ｄ…第四の面材、１０ｅ…突起、２０…シンク部（住設部）、３０…キャビネット部、３５…溝、１００…住設機器。
【図１】
2014023820.tif 000003
【図２】
2014023820.tif 000004
【図３】
2014023820.tif 000005
【図４】
2014023820.tif 000006
【図５】
2014023820.tif 000007